(57)【要約】  【課題】  カイロの貼着作業が簡単で且つゴミとなる剥離紙を不要に成す使い捨てカイロを提供する。  【解決手段】  カイロ本体ａの片面にシート状の貼着用テープ３を折り畳んで粘着面を内側に密着させた状態で付設すると共に、該貼着用テープ３の密着を剥離して展開した状態において、この貼着用テープ３の展開部分３２がカイロ本体の外周から外側へ突出した状態で展開して、該展開部分の粘着面５が露出するように構成したものであり、未使用時にはコンパクトな状態を維持しつつ、使用状態において貼着用テープ３が幅広く展開して使用者の体や衣服に貼着され、カイロ本体ａを安定して保持する。また、カイロを使用者の腕や足等の曲面に巻く形で貼ってもカイロ本体ａを無理なく保持でき、使用感もよい。  【選択図】  図１
2008188356.tif 000002
【特許請求の範囲】
【請求項１】
通気性を有するシートから成る略扁平形の袋体内に発熱材を封入して使い捨てカイロ本体を構成し、このカイロ本体にシート状の貼着用テープを折り畳んで粘着面を内側に密着させた状態で付設すると共に、該貼着用テープの密着を剥離して展開した状態において、この貼着用テープの展開部分がカイロ本体の外周から外側へ突出した状態で展開して、該展開部分の粘着面が露出するように構成した使い捨てカイロ。
【請求項２】
通気性を有するシートから成る略扁平形の袋体内に発熱材を封入して使い捨てカイロ本体を構成し、このカイロ本体にシート状の貼着用テープを付設して成る使い捨てカイロであって、
上記貼着用テープは、シート状のテープ基材を断面略Ｖ形に二つ折りして折り畳み及び展開可能に成し、そのテープ基材の一方の面を貼着面、もう一方の面を展開面と成し、上記貼着面の外面をカイロ本体に貼着手段を介して貼着固定すると共に、同貼着面の内面側に剥離処理を施し、該剥離処理面と重なり合う展開面の合面に粘着剤層を設け、折り畳み状態においてこの粘着剤層が上記剥離処理面に密着し、且つ、上記展開面を貼着面の剥離処理面より剥離させた際に同展開面がカイロ本体の外側へ展開して粘着剤層が露出するように構成した使い捨てカイロ。
【請求項３】
通気性を有するシートから成る略扁平形の袋体内に発熱材を封入して使い捨てカイロ本体を構成し、このカイロ本体にシート状の貼着用テープを付設して成る使い捨てカイロであって、
上記貼着用テープは、シート状のテープ基材を断面略Ｚ形に折って一枚状に折り畳み且つ展開可能に成し、そのテープ基材の一側面を貼着面、もう一方の側面を展開面と成し、これら両面を連絡する面を中間面として構成し、上記貼着面の外面をカイロ本体に貼着手段を介して貼着固定すると共に、上記貼着面と中間面との合面の少なくとも一方の面に微粘着処理を施し、且つ同中間面における貼着面との合面に剥離処理を施し、該剥離処理面と重なり合う展開面の合面に粘着剤層を設け、折り畳み状態において上記微粘着処理面と粘着剤層とが各々の合面に密着し、且つ展開面及び中間面を剥離させた際にこれら両面がカイロ本体の外側へ展開して展開面の粘着剤層が露出するように構成した使い捨てカイロ。
【請求項４】
上記粘着用テープをカイロ本体の１か所若しくは複数箇所に貼設し、各々カイロ本体の外側へ向けて展開するように構成した請求項１乃至３の何れか一項記載の使い捨てカイロ。
【請求項５】
上記カイロ本体は複数の袋体として分割し、且つ袋体相互を屈曲可能に連続して構成した請求項１乃至４の何れか一項記載の使い捨てカイロ。
【発明の詳細な説明】
【技術分野】
【０００１】
本発明は使い捨てカイロに関し、さらに詳しくは略扁平の袋体から成るカイロ本体に貼着用のテープを付設し、使用者の体や衣類に貼る使い捨てカイロに関する。
【背景技術】
【０００２】
従来の使い捨てカイロとしては、通気性を有するシートから成る略扁平状の袋体の内部に鉄粉等を含有した発熱材を封入したものが普及している。これらの使い捨てカイロには所謂貼るタイプのものと貼らないタイプのものがあり、貼るタイプのものは、使用者の体や衣類に粘着性剤を塗布した上記袋体から成るカイロ本体を貼り付け、使用者の体の希望する位置にてずれないように装着するものが広く普及している。
図７にて示すように、従来の貼るタイプの使い捨てカイロ１００は、通気性を有するシートから成る略扁平状の袋体に発熱材を封入してカイロ本体１０１を構成し、このカイロ本体１０１の片面にシート状の粘着剤層を全面的に接着して粘着面１０２と成し、この粘着面１０２を覆うように剥離紙１０３を被着して構成してある。通常、上記した剥離紙１０３は剥がし易いように中央から分割され、使用時には、密封パッケージ（図示せず）から使い捨てカイロ１００を取り出した後、上記剥離紙１０３を剥がし、露出した粘着面１０２を体や衣類に貼着して使用する。
【０００３】
ところで、上記したように従来の使い捨てカイロを使用するためには、使用済みの使い捨てカイロ自体の他に、密封パッケージや剥がした剥離紙１０３がゴミとして残るので、地球環境保護の意味では使い捨てカイロにあってもできるだけ不要なゴミを削減する必要性が求められる。  
また、従来の使い捨てカイロを使用者が一人で体若しくは衣類の所望位置に貼る際には、使用者自身がカイロ本体１０１を持ち、その片面に露出する粘着面１０２を直接的に貼ることになる。よって、使用者自身が背中や腰等に手を回してカイロを貼る際には、所望の位置に一回で的確に貼ることが難しく、位置がずれたり、傾いたりすることがあるので、何回も貼り直しをして粘着力が低下してしまうことがあった。
さらに、上記したような従来の使い捨てカイロは、カイロ本体がフレキシブル性に欠けるので、特に使用者の体の腕や足等、曲面的な部分に巻き付ける形で貼る場合に、カイロ本体が不自然に屈曲するので綺麗に密着させて貼ることが難しく、貼り付けた後の使用感が悪く、使用の途中でカイロ本体が体から剥がれてしまうような不具合もあった。
【特許文献１】特開２００５−２８７９５８号公報
【特許文献２】特開２００２−３６０６２４号公報
【発明の開示】
【発明が解決しようとする課題】
【０００４】
本発明は上記したような従来事情に鑑みてなされたものであり、その目的とする処は、カイロ本体の貼着作業が簡単で且つゴミとなる剥離紙が不要な使い捨てカイロを提供することにある。
【課題を解決するための手段】
【０００５】
本発明は、上記目的を達成するために下記の技術的手段を採用した。
第１発明の使い捨てカイロは、通気性を有するシートから成る略扁平形の袋体内に発熱材を封入して使い捨てカイロ本体を構成し、このカイロ本体にシート状の貼着用テープを折り畳んで粘着面を内側に密着させた状態で付設すると共に、該貼着用テープの密着を剥離して展開した状態において、この貼着用テープの展開部分がカイロ本体の外周から外側へ突出した状態で展開して、該展開部分の粘着面が露出するように構成したものである。
上記した粘着用テープの折り畳み形態は、例えば断面Ｖ形に二つ折りしても、若しくは断面Ｚ形に折り畳んでもよい。
【０００６】
第２発明の使い捨てカイロは、通気性を有するシートから成る略扁平形の袋体内に発熱材を封入して使い捨てカイロ本体を構成し、このカイロ本体にシート状の貼着用テープを付設して成る使い捨てカイロであって、
上記貼着用テープは、シート状のテープ基材を断面略Ｖ形に二つ折りして折り畳み及び展開可能に成し、そのテープ基材の一方の面を貼着面、もう一方の面を展開面と成し、上記貼着面の外面をカイロ本体に貼着手段を介して貼着固定すると共に、同貼着面の内面側に剥離処理を施し、該剥離処理面と重なり合う展開面の合面に粘着剤層を設け、折り畳み状態においてこの粘着剤層が上記剥離処理面に密着し、且つ、上記展開面を貼着面の剥離処理面より剥離させた際に同貼着面がカイロ本体の外側へ展開して粘着剤層が露出するように構成したものである。
上記したカイロ本体の形態は任意であるが、例えば略扁平状の四角形等が適当である。また、粘着用テープの取付位置も任意に変更してもよいが、そのカイロ本体の片面の一側と他側とに付設して各々カイロ本体の外側へ向けて展開するように構成すると簡単に貼着作業を行うことができる。上記粘着用テープのテープ基材は例えばプラスチックフィルムの他にＰＥフィルムと不織布フィルムとを一体に積層したもの等が好適である。
【０００７】
第３発明の使い捨てカイロは、通気性を有するシートから成る略扁平形の袋体内に発熱材を封入して使い捨てカイロ本体を構成し、このカイロ本体にシート状の貼着用テープを付設して成る使い捨てカイロであって、
上記貼着用テープは、シート状のテープ基材を断面略Ｚ形に折って一枚状に折り畳み且つ展開可能に成し、そのテープ基材の一側面を貼着面、もう一方の側面を展開面と成し、これら両面を連絡する面を中間面として構成し、上記貼着面の外面をカイロ本体に貼着手段を介して貼着固定すると共に、上記貼着面と中間面との合面の少なくとも一方の面に微粘着処理を施し、且つ同中間面における貼着面との合面に剥離処理を施し、該剥離処理面と重なり合う展開面の合面に粘着剤層を設け、折り畳み状態において上記微粘着処理面と粘着剤層とが各々の合面に密着し、且つ展開面及び中間面を剥離させた際にこれら両面がカイロ本体の外側へ展開して展開面の粘着剤層が露出するように構成したものである。
上記したように、貼着用テープはテープ基材を断面Ｚ形に折って形成することによりその展開幅を広くすることができ、貼着状態における保持力を向上することが可能となる。また、断面Ｚ形のテープ基材の折り幅は任意に変更してもよい。また、上記貼着手段は粘着剤を使用してもヒートシール可能なフィルム層を設けることにより構成してもよい。
【０００８】
第４発明の使い捨てカイロは、上記請求項１乃至３の何れか一項記載の使い捨てカイロにおいて、上記粘着用テープをカイロ本体の１か所若しくは複数箇所に貼設し、各々カイロ本体の外側へ向けて展開するように構成したものである。粘着用テープの貼設箇所とその数は任意に変更してもよいが、カイロ本体の一側と他側とに貼設し、各々カイロ本体の外側へ向けて展開する形態が好適である。
【０００９】
第５発明の使い捨てカイロは、上記請求項１乃至４の何れか一項記載の使い捨てカイロにおいて、上記カイロ本体は複数の袋体として分割し、且つ袋体相互を屈曲可能に連続して構成したものである。上記した袋体の分割数は任意に設定してもよい。また分割部分の幅は袋体の熱圧着による密封代の他に専用の屈曲代を設けてもよい。
【発明の効果】
【００１０】
本発明の使い捨てカイロによれば、下記のような優れた作用、効果が期待できる。
第１発明の使い捨てカイロは第１発明の使い捨てカイロは、通気性を有するシートから成る略扁平形の袋体内に発熱材を封入して使い捨てカイロ本体を構成し、このカイロ本体にシート状の貼着用テープを折り畳んで粘着面を内側に密着させた状態で付設すると共に、該貼着用テープの密着を剥離して展開した状態において、この貼着用テープの展開部分がカイロ本体の外周から外側へ突出した状態で展開して、該展開部分の粘着面が露出するように構成したものである。
よって、未使用状態では、カイロ本体の面部位において粘着用テープが密着した状態に折り畳まれた状態となり、また、使用の際には上記貼着用テープを剥離して展開することにより、カイロ本体の外側へ突出した状態で展開して粘着面が露出した状態となる。即ち、未使用状態ではコンパクトな大きさを維持できると共に、使用状態においては貼着用テープを展開して幅の広い状態で使用者の体や衣服に貼り付けることができるので安定した保持状態を維持できる。
また、カイロ本体を使用者の体若しくは衣類の希望する位置に当てた状態を維持しつつ貼着位置を確認しながら同粘着用テープの貼着面を貼着する余裕ができるので、カイロ本体を使用者の所望位置に貼り付ける作業を簡単に行うことができる。
【００１１】
第２発明の使い捨てカイロは、略扁平形の袋体内に発熱材を封入して使い捨てカイロ本体を構成し、このカイロ本体にシート状の貼着用テープを付設して成る使い捨てカイロであって、上記貼着用テープは、シート状のテープ基材を断面略Ｖ形に二つ折りして折り畳み及び展開可能に成し、そのテープ基材の一方の面を貼着面、もう一方の面を展開面と成し、上記貼着面の外面をカイロ本体に貼着手段を介して貼着固定すると共に、同貼着面の剥離処理面と重なり合う展開面の合面に粘着剤層を設け、折り畳み状態において上記剥離処理面に密着し、且つ、上記展開面を剥離させた際に同貼着面がカイロ本体の外側へ展開して粘着材層が露出するように構成したものである。
よって、未使用状態では、粘着用テープが折り畳まれてその展開面が貼着面の剥離処理面に密着し、従来の剥離紙による密着と同様に機能する。また、使用の際には上記貼着用テープの展開面を剥離して展開することにより、カイロ本体を使用者の体若しくは衣類の希望する位置に当てた状態を維持しつつ貼着位置を確認しながら同粘着用テープの貼着面を貼着する余裕ができるので、カイロ本体を使用者の所望位置に貼り付ける作業を簡単に行うことができる。また、貼着用テープがカイロ本体の外側に展開するように構成したので、同貼着用テープをカイロ本体の両側部に設けた場合には同テープによる保持幅が広く、カイロ本体をずれないように安定して保持することができる。
さらに、剥離紙を使用しないので、カイロの使用に際してでるゴミも低減することができ、カイロ本体をコンパクトにできる利点がある。
【００１２】
第３発明の使い捨てカイロは、略扁平形に形成した袋体内に発熱材を封入して使い捨てカイロ本体を構成し、このカイロ本体にシート状の貼着用テープを付設して成る使い捨てカイロであって、
上記貼着用テープは、シート状のテープ基材を断面略Ｚ形に折って一枚状に折り畳み且つ展開可能に成し、そのテープ基材の一側面を貼着面、もう一方の側面を展開面と成しと、これら両面を連絡する面を中間面として構成し、上記貼着面の外面をカイロ本体に貼着手段を介して貼着固定すると共に、上記貼着面と中間面との合面の少なくとも一方の面に微粘着処理を施し、且つ同中間面における貼着面との合面に剥離処理を施し、該剥離処理面と重なり合う展開面の合面に粘着剤層を設け、折り畳み状態において上記微粘着処理面と粘着層とが各々の合面に密着し、且つ展開面及び中間面を剥離させた際にこれら両面がカイロ本体の外側へ展開して展開面の粘着剤層が露出するように構成したものである。
よって、未使用状態では、粘着用テープが折り畳まれてその展開面の貼着面と中間面の微粘着処理面とが各々の合面に密着し、従来の剥離紙による密着と同様に機能する。また、使用の際には上記貼着用テープの展開面と中間面とを剥離して展開することにより、カイロ本体を使用者の体若しくは衣類の希望する位置に当てた状態を維持しつつ貼着位置を確認しながら同粘着用テープの貼着面を貼着する余裕があるので、カイロ本体を使用者の所望位置に貼り付ける作業を簡単に行うことができる。また、貼着用テープの貼着面と中間面とがカイロ本体の外側に展開するように構成したので、同貼着用テープをカイロ本体の両側部に設けた場合には同テープによる保持幅をより広く確保することかができ、カイロ本体をずれないように安定して保持することが可能となる。
さらには、剥離紙を使用しないので、カイロの使用に際してでるゴミも低減することができ、カイロ本体をコンパクトにできる利点がある。
【００１３】
第４発明の使い捨てカイロは、上記請求項１乃至３の何れか一項記載の使い捨てカイロにおいて、上記粘着用テープをカイロ本体の１か所若しくは複数箇所に貼設し、各々カイロ本体の外側へ向けて展開するように構成したものである。
よって、未使用時には粘着用テープを折り畳んでカイロ本体の範囲内に密着させ、コンパクトな状態を維持できると共に、使用に際して粘着テープを展開することにより、カイロ本体を使用者の肌や衣類の希望位置に当てながら粘着テープを貼着することができるので、カイロ本体の装着を正確に且つ簡単に行うことができる。
特に、粘着用テープをカイロ本体の対向する側部の２箇所に付設した場合には粘着用テープの展開幅を広く確保して安定した保持状態を維持することができ、貼着作業も楽に行うことができる。
【００１４】
第５発明の使い捨てカイロは、上記請求項１乃至４の何れか一項記載の使い捨てカイロにおいて、上記カイロ本体は複数の袋体として分割し、且つ袋体相互を屈曲可能に連続して構成したものであるから、カイロ本体を比較的大きく形成した際にも発熱体の片寄りを防止しできると共に、分割部分が屈曲を助けるので、カイロ本体を体の曲面に沿って貼り付ける場合、特に腕や足に巻いた状態で貼り付けてもカイロ本体が無理なく屈曲して異物感やずれ等を防止し、良好な使用感を発揮することができる。
【発明を実施するための最良の形態】
【００１５】
以下、本発明の使い捨てカイロの実施例を図面に基づいて説明する。
図１乃至図３にて示す使い捨てカイロＡは、略扁平状に形成した袋体２に発熱体１を封入することによりカイロ本体ａを構成し、このカイロ本体ａの一側部と他側部とにそれぞれ貼着用テープ３を付設して構成してある。尚、この実施例のカイロ本体ａ場合、二つの袋体２を中央にて一体に接続して形成し、各々の袋体２の内部に発熱体１を封入し、且つ、各々の袋体２に上記貼着用テープ３を付設してある。
発熱体１は、例えば鉄粉、水、バーキュライト、活性炭、塩類等を混合した混合粉体であり、空気中の酸素と反応して適度に発熱する。尚、上記発熱材としては、上記混合粉体をシート状に成形したり、シート状物に前記混合粉体を保持させたりしたものを用いることも任意である。
カイロ本体ａを構成する両袋体２は、内部の発熱体１に酸素を供給できるように少なくともその一部が通気性を有するように構成してあり、同一形状の通気性シート２２と非通気性シート２１の周縁部同士を熱圧着して接合することにより、周縁部に接合代２ａを形成し、扁平な袋体２を左右に並ぶ形で接続してある。
また、両袋体２の接続部は接合代２ａ同士の間に屈曲代２ｂを形成し、二つの袋体２がこの屈曲代２ｂから自由に屈曲するように構成してある。このように両袋体２を屈曲性の良い屈曲代２ｂを介して接続することにより、カイロ本体ａの変形性が増し、体の曲面に沿って貼着する場合などに効果を発揮する。
【００１６】
上記した袋体２の片面を構成する通気性シート２２は、従来と同様にナイロン、ポリプロピレン、ポリエチレン等の不織布とホットメルト性を有するプラスチック製の多孔質フィルムとを複層化したシート等から成る。
一方、袋体２のもう一方の片面を構成する非通気性シート２１は、ポリオレフィン系フィル等酸素不通気性でホットメルト性を有するプラスチックフィルムを採用したシート等から成る。
上記したように構成される通気性シート２２と非通気性シート２１の周縁部同士を所定温度と所定圧力をもって熱圧着することで互いのホットメルト性を有するフィルム層同士が熱溶着し、これにより所定幅の接合代２ａを形成して両袋体２を構成する。
尚、上記した袋体２は片面を非通気シート２１により構成して非通気性としたが、本発明の使い捨てカイロにあっては袋体の両面を通気性シートにより構成し、表裏両面が通気性を有するように構成してもよい。また、通気性シートと非通気性シートの材質や積層構造等は任意に変更してもよい。
【００１７】
上記したように構成した両袋体２の片面、即ち非通気性シート２１側の面には各々貼着用テープ３を付設する。
図３にて示すように、貼着用テープ３は基材テープ３０を二つ折りして断面略Ｖ形に折り曲げ成形し、折り畳み及び展開可能に構成してある。上記したように断面Ｖ形に折り曲げ形成した基材テープ３０は、その一方の面（袋体の非通気シートとの接合面）を貼着面３１とし、且つもう一方の面を展開面３２として構成する。
上記した基材テープ３０は強度のあるプラスチックフィルム等を用いてもよいが、使用者の肌に触れることを考慮するならば、最外層に不織布層、その上にポリエチレンフィルム層を積層し、さらにその上に背面処理剤を積層した積層シートを用いることが好ましい。
【００１８】
基材テープ３０の展開面３２の内側には貼着用の粘着剤層５を付着し、上記貼着面３１の合面３１ａに密着可能に構成してある。この粘着剤層５の付着範囲は展開面３２よりも狭い範囲に設定し、その周囲に展開面３２の剥離作業を容易にする若干のスペースが生じるように構成してある。また、基材テープ３０の内側の面、即ち上記粘着層５の合面３１ａには剥離処理を施し、展開面３２の剥離を容易に行えるようにしてある。
また、基材テープ３０の貼着面３１の外側には略全面的に粘着剤４を付着し、該貼着面３１を袋体２の非通気性シート２１側の面に貼着固定する。両袋体２に貼着する基材テープ３０は、各々断面Ｖ形の開口側を両袋体２の接続部側へ向けた状態で貼着し、展開状態において同基材テープ３０の展開面３２の一部若しくは全部が袋体２の側縁から外側へ向けて展開するように構成する。
この実施例の場合、展開状態において展開面３２が両袋体２の外周から外側へ突出するように構成してある（図２−ａ）。即ち、両袋体２の貼着用テープ３を展開すると、並列する形で接続された両袋体２の両側に展開面３２が展開し、粘着剤層５が露出した状態となる（図２−ｂ）。
尚、上記粘着用テープは、基材テープの貼着面の外面にヒートシール性を有するプラスチックフィルム、例えばＬＬＤＰＥ等を密着積層すると共に、両袋体２の片面の非通気性シート２１の表面にヒートシール性のあるプラスチックフィルムを積層することで、粘着剤を使用すること無く、粘着用テープを袋体にヒートシールにより接着してもよい（図示せず）。また、上記したように基材テープの貼着面を袋体に対して貼着固定する手段としては、既存のどのような貼着手段を用いてもよい。
【００１９】
上記したように構成した使い捨てカイロＡは、展開面３２を折り畳んで密着した状態として密封パック（図示せず）の中に封入した状態で流通する。
使用者が使い捨てカイロＡを使用する場合、密封パック（図示せず）を開封して使い捨てカイロＡを取り出し、両貼着用テープ３の展開面３２の密着を剥離して左右両側へ各々に展開し、それらを両手で持って展張した状態を保つ。カイロ本体ａを使用者の体若しくは衣類の希望する位置に当て、余裕のある指などによりカイロ本体ａを押して貼着する位置を確認する。位置の確認ができたなら、そのまま両貼着用テープ３の展開面３２を体若しくは衣類に貼着する。これによりカイロ本体ａを体の希望する位置に対して正確に貼着することができる。
通常、貼着位置が使用者の腹部や胸部等では従来のカイロでも問題なく貼ることができる。しかし、本願のカイロは使用者自身が貼るには難しい箇所、特に背中や腰等に貼着する場合の貼着作業がとてもやり易く、一人でも希望する位置に対して正確且つ簡単に貼着出来る利点がある。
また、使用者の腕や足等に巻き付けた状態でカイロＡを貼り付ける場合も、カイロ本体ａの両側に貼着用テープ３が突出した形で展開するので、カイロ本体ａを腕や足等に巻き付けた状態で両貼着テープ３により簡単に且つ自然な形で貼り付けることが可能である。また、両粘着テープ３によりカイロ本体ａを確実に保持することができるので、使用の途中で剥がれてしまうようなこともなく、使用感も大変よい。
さらに、従来の使い捨てカイロのように粘着剤層５を覆うための剥離紙を必要としないので、カイロの使用に伴って生じる不要なゴミを削減することができ、また、使い捨てカイロ自体をコンパクトにまとめることができる利点も有している。
【００２０】
次ぎに、図４乃至図６にて示す使い捨てカイロＡ２について説明する。
この使い捨てカイロＡ２は基本的に前記した使い捨てカイロＡと同様に構成してあるが、両袋体２に付設する貼着用テープ７の形態が異なる。
この貼着用テープ７は図６にて示すように、基材テープ７０を三つ折りにして断面略Ｚ形に折り曲げ形成し、折り畳み及び展開可能に構成してある。上記したように断面Ｚ形に折り曲げ形成した基材テープ７０は、一方の側面（袋体の非通気シートとの接合面）を貼着面７１とし、且つもう一方の側面を展開面７２と成すと共に、これら両面を連絡する面を中間面７３として構成してある。
上記したように断面略Ｚ形に折り曲げて構成した基材テープ７０は、基材テープ７０の展開面７２の内側に貼着用の粘着剤層５を付着し、中間面７３の合面７３ａに密着可能に構成してある。前記した場合と同様、この粘着剤層５の付着範囲も展開面７２よりも狭い範囲に付着し、その周囲に剥離作業を容易にするためのスペースを設けてある。基材テープ７０の中間面７３、即ち上記粘着層５の合面７３ａには剥離処理を施し、展開面７２の剥離を容易に行えるようにする。
上記基材テープ７０の中間面７３における貼着面７１との合面には微粘着層６を形成し、折り畳み状態において、この微粘着層６が貼着面７１の合面に対して密着に必要な微粘着力により貼着するように構成してある。また、貼着面７１における上記微粘着層６と密着する合面７１ａには剥離処理を施してある。
【００２１】
上記基材テープ７０の貼着面７１の外側には略全面的に粘着剤４を付着し、該貼着面７１を袋体２の非通気性シート２１側の面に貼着固定する。この際、両袋体２に貼着する貼着用テープ７は各々展開面７２の先端縁を袋体２の外側へ向けた状態で貼着し、中間面７３及び展開面７２が貼着位置から袋体２の外側へ向けて幅広く展開するように構成する。
この実施例の場合、展開状態において展開面７２の全部が両袋体２の外周から外側へ突出するように構成してある（図５−ａ）。即ち、両袋体２の貼着用テープ７を展開すると、並列する形で接続された両袋体２の両側に展開面７２が展開し、粘着剤層５が露出した状態となる（図５−ｂ）。
使い捨てカイロＡ２の場合、展開した状態の展開面７２は粘着際層５が袋体２の非通気性シート２１と相反する方向へ向いて露呈するため、カイロ本体ａの通気性シート２２側の面を使用者の肌若しくは衣類に当てる形で貼着することになる。
尚、本実施例の使い捨てカイロＡ２も、前記したいように貼着面の外面を袋体に対して貼着する手段としてヒートシールによる貼着手段を用いてもよいが、基材テープが断面Ｚ型に折り畳まれるため、シートシールを施す面を貼着面の外面だけに限るか、基材テープを展開した状態にて貼着面だけを圧着してヒートシールする必要がある。
【００２２】
上記したように構成した使い捨てカイロＡ２は、貼着用テープ７を構成する基材テープ７０を断面略Ｚ形に折り曲げてあるので、中間面７３が展開する分、展開面７２をより伸ばした位置に展開することができ、その結果、両展開面７２の幅が広がり、カイロ本体ａの貼着作業を容易に行うことができると共に、貼着状態におけるカイロ本体ａの保持力をより高めることができる。また、カイロ本体ａを含めると幅が広くなるので、体の希望する部位に巻き付けるように装着する用途に広く対応することができる。
【００２３】
上記した使い捨てカイロＡ,Ａ２はカイロ本体ａの非通気性シート側の面に貼着用テープ３,７を貼着したが、本発明の使い捨てカイロにおいては、片面を通気性シート、もう一方の面が非通気性シートから成るカイロ本体を構成し、このカイロ本体の通気性シート側の面に貼着用テープ３,７を貼着してもよい。
この場合、貼着用テープ３,７の貼着面３１,７１によりカイロ本体の通気面が広く覆われて通気性が低下するため、上記貼着用テープ３,７の貼着面３１,７１に微小な孔を多数貫通形成してこの部分における通気性を確保するとよい。また、同貼着面３１,７１をカイロ本体ａに貼り着するための粘着剤をドット状に塗布することにより、その通気性をより効果的に確保することができる（図示せず）。
尚、上記した実施例の使い捨てカイロＡ，Ａ２ではカイロ本体ａを構成する袋体２を２個接続した形としたが、カイロ本体を構成する袋体の数は１個であっても、若しくは３個以上であってもよい。
また、カイロ本体を貼着する貼着用テープの数は上記した使い捨てカイロＡ，Ａ２のようにカイロ本体の相対向する二カ所に設けることにより広い用途に対応できるが、用途に応じて粘着用テープの数と取付部位を変更することは任意である。
例えば、カイロ本体の一か所に粘着用テープを付設してカイロ本体を吊持する状態で装着してもよいし、また、カイロ本体が横長である場合等は、同カイロ本体の四辺に貼着用テープが展開するように構成してもよく、色々な形状や大きさのカイロに広く対応することができる。
【図面の簡単な説明】
【００２４】
【図１】本発明の使い捨てカイロを示し、図（ａ）は図（ｂ）のI-I  線断面図，（ｂ）は本発明のカイロを一部切欠して示す正面図。
【図２】貼着用テープを展開したカイロを示し、図（ａ）は図（ｂ）のII-II  線断面図，（ｂ）は同使い捨てカイロを一部切欠して示す正面図。
【図３】同カイロの貼着用テープを示す従断面図。
【図４】貼着用テープを断面Ｚ形に折り曲げて成る使い捨てカイロを示し、図（ａ）は図（ｂ）のIV-IV  線断面図，（ｂ）は本発明のカイロを一部切欠して示す正面図。
【図５】貼着用テープを展開した同カイロを示し、図（ａ）は図（ｂ）のV-V 線断面図，（ｂ）は同使い捨てカイロを一部切欠して示す正面図。
【図６】同カイロの貼着用テープを示す従断面図。
【図７】従来の使い捨てカイロを一部切欠して示す斜視図。
【符号の説明】
【００２５】
Ａ，Ａ２・・・使い捨てカイロ
ａ・・・カイロ本体
１・・・発熱体
２・・・袋体
２ｂ・・・屈曲代
３，７・・・貼着用テープ
４・・・粘着剤
５・・・粘着剤層
６・・・微粘着層
３０・・・基材テープ
３１，７１・・・貼着面
３２，７２・・・展開面
７３・・・中間面
【図１】
2008188356.tif 000003
【図２】
2008188356.tif 000004
【図３】
2008188356.tif 000005
【図４】
2008188356.tif 000006
【図５】
2008188356.tif 000007
【図６】
2008188356.tif 000008
【図７】
2008188356.tif 000009